(57)【要約】【課題】１つの魚釣用リールでありながら、スプールのフリー回転性能を変更することを可能にする魚釣用リールを提供する。【解決手段】本発明の魚釣用リールは、釣糸が巻回されるスプール１３を有するスプール軸１２を、リール本体１の軸受支持部２ｃ，２ｄに装着した軸受１５ａ，１５ｂを介して回転自在に支持しており、リール本体１の軸受支持部２ｃ，２ｄと軸受１５ａ，１５ｂとの間に、環状支持体１６ａ，１６ｂを着脱可能に嵌合保持したことを特徴とする。【選択図】    図２
2006034254.tif 000002
【特許請求の範囲】
【請求項１】
釣糸が巻回されるスプールを有するスプール軸を、リール本体の軸受支持部に装着した軸受を介して回転自在に支持した魚釣用リールにおいて、
前記リール本体の軸受支持部と軸受との間に、環状支持体を着脱可能に嵌合保持したことを特徴とする魚釣用リール。
【請求項２】
釣糸が巻回されるスプールを有するスプール軸を、リール本体の軸受支持部に装着した軸受を介して回転自在に支持した魚釣用リールに対して着脱可能なスプールユニットであり、
このスプールユニットは、前記軸受よりも小径な小径軸受と、前記軸受支持部に着脱可能な環状支持体とを有しており、前記リール本体の軸受支持部に対し、前記環状支持体を介在させて装着可能であることを特徴とする。
【発明の詳細な説明】
【技術分野】
【０００１】
本発明は、リール本体の側板間に回転自在に支持されたスプールに釣糸が巻回される魚釣用リール、及びそのような魚釣用リールに装着されるスプールユニットに関する。
【背景技術】
【０００２】
上記した形式の魚釣用リールは、例えば、特許文献１に開示されているような構成となっており、このような魚釣用リールは、通常巻取り操作やキャスティング操作に充分対応できる強度、及び回転フリー性能が発揮、維持できるよう構成されている。このため、スプールを支持するスプール軸、及びスプール軸を回転支持する軸受等の寸法は、対象となる魚や用途等に従って標準使用形態として設定されている。
【特許文献１】実公昭５７−３９０２７号公報
【発明の開示】
【発明が解決しようとする課題】
【０００３】
ところで、実際の釣場においては、ある程度の重い仕掛けを使用していながら、場合によっては、仕掛けを変更し、軽い仕掛けを遠方のポイントへ放出操作したり落下させることもあり得る。このような場合、スプールのフリー回転性（スプールの回転抵抗が少ないこと）が重視されるため、釣人は、予め、スプールの回転抵抗が少ない魚釣用リールを購入して予備用として釣場に持参するか、或いは、既存の魚釣用リールをそのまま使用して対応している。
【０００４】
このため、コスト的に無駄であると共に携行性に劣る等の問題があり、また、既存の魚釣用リールをそのまま使用して対応しても、軽負荷キャスト性能が劣ることから、実釣時において、キャスティングする仕掛けの重さに適した状態では使用することができない、という問題がある。
【０００５】
本発明は、上記した問題に基づいてなされたものであり、１つの魚釣用リールでありながら、スプールのフリー回転性能を変更することを可能にする魚釣用リール、及びそのような魚釣用リールに用いられるスプールユニットを提供することを目的とする。
【課題を解決するための手段】
【０００６】
上記した目的を達成するために、本発明は、釣糸が巻回されるスプールを有するスプール軸を、リール本体の軸受支持部に装着した軸受を介して回転自在に支持した魚釣用リールにおいて、前記リール本体の軸受支持部と軸受との間に、環状支持体を着脱可能に嵌合保持したことを特徴とする。
【０００７】
上記した構成の魚釣用リールでは、リール本体の軸受支持部に、環状支持体を介在させて軸受を保持していることから、環状支持体がない場合と比較して、環状支持体の肉厚の分だけ小径化された軸受を用いることが可能となり、これにより、軸受内部での回転時における摩擦抵抗を軽減して、スプールのフリー回転性能の向上が図れるようになる。
【０００８】
また、上記した目的を達成するために、本発明は、釣糸が巻回されるスプールを有するスプール軸を、リール本体の軸受支持部に装着した軸受を介して回転自在に支持した魚釣用リールに対して着脱可能なスプールユニットであり、このスプールユニットは、前記軸受よりも小径な小径軸受と、前記軸受支持部に着脱可能な環状支持体とを有しており、前記リール本体の軸受支持部に対し、前記環状支持体を介在させて装着可能であることを特徴とする。
【０００９】
このようなスプールユニットは、通常のスプールユニット（基本スプールユニット）を装着している魚釣用リールに対して交換することが可能であり、釣人は、スプールフリー回転性能を変更するにあたって異なるタイプの魚釣用リールを携行する必要がなくなる。そして、この交換されるスプールユニットは、軸受支持部に装着される環状支持体を備えており、基本スプールユニットに対して、小径化された軸受、及びそれに伴って回転抵抗を少なくする小径化されたスプール軸となっているため、リール本体に対して交換装着した際、基本スプールユニットと比較すると、軸受部分での回転時の摩擦抵抗が軽減されて、フリー回転性能が向上するようになる。
【００１０】
なお、上記した交換されるスプールユニットについては、小径化された軸受、及び環状支持体は、予めスプール軸と一体化された状態であっても良いし、スプール軸に対して着脱できるような構成であっても良い。
【発明の効果】
【００１１】
本発明の構成によれば、スプールのフリー回転性能の向上が図れると共に、１つの魚釣用リールでありながら、スプールのフリー回転性能を変更することが可能になる。
【発明を実施するための最良の形態】
【００１２】
図１は、本発明に係る魚釣用リールの一実施の形態を示す図であり、図２は、スプール部分の拡大図、そして、図３は、図１に示した魚釣用リールに装着されている交換可能なスプールユニット（交換スプールユニット）の構成を示す図である。なお、図４及び図５は、図１に示す魚釣用リールにおいて、最初に装着されているスプールユニット（基本スプールユニット）の構成を示す図である。
【００１３】
図１に示すように、魚釣用リールのリール本体１は、左右フレーム２ａ，２ｂと、これら左右フレーム２ａ，２ｂに所定の空間をもって装着される左右側板３ａ，３ｂとを備えている。
【００１４】
前記左右フレーム２ａ，２ｂ（左右側板３ａ，３ｂ）間には、交換スプールユニット１０が装着されている。この交換スプールユニット１０は、スプール軸１２と、このスプール軸１２に固定され、釣糸が巻回されるスプール１３とを備えており、前記スプール軸１２は、その両端部が、軸受１５ａ，１５ｂ、及び所定の肉厚を有する環状支持体１６ａ，１６ｂを介して、それぞれリール本体１のフレーム２ａ，２ｂに形成された凹状の軸受支持部２ｃ，２ｄに回転可能に支持されている。この交換スプールユニット１０の構成、及び支持構造については後述する。
【００１５】
前記右フレーム２ｂ側には、ハンドル軸２０が配設されており、このハンドル軸２０は、右フレーム２ｂに軸受を介して回転自在に支持されていると共に、右側板との間に介在された転がり式の一方向クラッチ（図示せず）によって、釣糸巻取方向にのみ回転可能となっている。ハンドル軸２０の端部は、右側板３ｂから突出しており、その部分にハンドル２１が装着されている。ハンドル２１は、先端にハンドルツマミ２１ａを装着したレバー２１ｂを備えており、このレバー２１ｂの基端部が前記ハンドル軸２０に装着されている。
【００１６】
右フレーム２ｂと右側板３ｂとの間には、ハンドル２１の回転運動を前記スプール軸１２に伝達する駆動力伝達機構と、この駆動力の伝達を継脱するクラッチ機構と、魚釣時にスプール１３から釣糸が繰り出された際、スプール１３にドラグ力を付与する制動装置が収容されている。
【００１７】
前記駆動力伝達機構は、ハンドル軸２０に回転可能に支持された駆動歯車２２とこの駆動歯車２２に噛合するピニオン２３とを備えている。ピニオン２３は、右フレーム２ｂとの間で軸受２３ａを介して支持されると共に、前記スプール軸１２と同軸上に延出するピニオン軸２４に回転可能に設けられており、かつピニオン軸２４に沿って軸方向に移動可能となっている。また、ピニオン２３の外周には、円周溝２３ｂが形成されており、この円周溝に、クラッチ機構の作動部材２５が係合して、ピニオン２３を軸方向に移動することによって駆動力が継脱されるようになっている。
【００１８】
前記ピニオン２３の端部には嵌合部が形成されており、ピニオン２３がクラッチ機構の作動部材２５によってスプール側に移動されて、その嵌合部がスプール軸１２の端部に嵌入されている係合ピン１２ａに嵌合することで駆動力伝達状態（クラッチＯＮ状態）となり、また、ピニオン２３が作動部材によって右側板側に移動されて、嵌合部が係合ピン１２ａから外れることで駆動力非伝達状態（クラッチＯＦＦ状態）となる。
【００１９】
なお、前記作動部材２５は、左右両フレーム間に配設された操作レバー２７を押圧操作することで、ピニオン２３をクラッチＯＦＦ状態に移動させ、ハンドル２１の巻取り操作によって、ピニオン２３をクラッチＯＮ状態に復帰移動させるようになっている（これらの機構については、公知技術であるため、詳細な説明は省略する）。
【００２０】
また、上記制動装置は、例えば、駆動歯車２２に形成された凹所に複数枚の摩擦板を収容して構成されており、ハンドル軸２０の端部に取り付けられた調節部材２９を回転操作することで、前記摩擦板に対する押圧力を強弱に加減し、これによって、スプール１３の釣糸繰り出し方向への回転に所望の制動をかけるようになっている。
【００２１】
上述した交換スプールユニット１０は、図３に示すように構成されており、例えば、左側板３ａを左フレーム２ａから取り外した状態で、軸方向に引き出すことによりリール本体から取り外すことが可能となっている。この交換スプールユニット１０を構成するスプール軸１２の左端部には、軸受１５ａ、及びその外側に、リール本体（左フレーム）に形成された凹状の軸受支持部２ｃに嵌合保持（圧入）される環状支持体１６ａが装着されており、右端部には、軸受１５ｂ、及びその外側に、リール本体（右フレーム）に形成された凹状の軸受支持部２ｄに嵌合保持(圧入)される環状支持体１６ｂが装着されている。
【００２２】
本実施形態の構成では、軸受１５ｂ及び環状支持体１６ｂを、予め、スプール軸１２に装着しておき、その後、スプール軸１２に径方向から係合ピン１２ａを圧入することで、これらの構成部材をスプール軸１２に一体化している。また、軸受１５ａ及び環状支持体１６ａについては、上記したような係合ピンが圧入されることは無いため、スプール軸１２に対して一体化されていなくても良い。
【００２３】
なお、上記したピニオン２３の嵌合部との嵌合関係で、嵌合方式を上記した係合ピン１２ａではなく、スプール軸１２の右端面を断面非円形状に構成するような場合、軸受１５ｂ及び環状支持体１６ｂについては、スプール軸１２に対して一体化されていなくても良い。また、軸受１５ａ及び環状支持体１６ａについては、逆にスプール軸１２に一体化されていても良い。
【００２４】
上記した交換スプールユニット１０は、リール本体の軸受支持部２ｃ，２ｄに、環状支持体１６ａ，１６ｂを介在させて軸受１５ａ，１５ｂを保持していることから、通常の基本スプールユニット５０（図４及び図５参照）と比較すると、環状支持体の肉厚の分、スプール軸１２及び軸受１５ａ，１５ｂを小径化することが可能となる。
【００２５】
すなわち、上記したリール本体の軸受支持部２ｃ，２ｄに、当初装着されている基本スプールユニット５０を構成するスプール軸５２、スプール５３、軸受５５ａ，５５ｂと比較すると、交換スプールユニット１０は、スプール軸１２の少なくとも軸受部分の径を小径化（図においてＤ＞ｄ）して、軸受１５ａ，１５ｂを軸受５５ａ，５５ｂよりも摩擦抵抗（回転抵抗）が小さい小径なものを用いることが可能となる。
【００２６】
上記した交換スプールユニット１０は、リール本体に予め装着されている基本スプールユニット５０と交換することが可能であり、基本スプールユニット５０と比較すると、軸受部分での回転時の摩擦抵抗が軽減されて、フリー回転性能が向上するようになる。すなわち、釣人は、軽負荷の仕掛けをキャスティングする等、スプールのフリー回転性能が高い釣法が要求される場合、基本スプールユニット５０をリール本体から取り外して、交換スプールユニット１０を装着すれば良く、異なるタイプの魚釣用リールを携行する必要がなくなる。そして、軽負荷の仕掛けキャスティングの使用が終わったら、元の基本スプールユニット５０と交換すれば良い。
【００２７】
このように、１つの魚釣用リールでありながら、仕掛けの相違や釣法に適した対応が可能となり、利便性の向上が図れるようになる。
【００２８】
以上、本発明の実施の形態について説明したが、上記した交換スプールユニットは、左右のいずれかの軸受が、基本スプールユニットの軸受より小径化されたものであっても良い。例えば、反ハンドル側の軸受支持部２ｃに環状支持体１６ａを介在させない構成であっても良い。また、交換スプールユニット１０のスプール１３については、基本スプールユニット５０のスプール５３と異なる構成であっても良い。さらに、交換スプールユニット１０のスプール軸１２は、軸方向全体に亘って、スプール軸５２よりも小径化されたものであっても良い。
【図面の簡単な説明】
【００２９】
【図１】本発明に係る魚釣用リールの一実施の形態を示す図。
【図２】図１に示したスプール部分の拡大図。
【図３】図１に示した魚釣用リールに装着されている交換可能なスプールユニット（交換スプールユニット）の構成を示す図。
【図４】図１に示した魚釣用リールにおいて、通常のスプール（基本スプールユニット）を装着した際の拡大図。
【図５】基本スプールユニットの構成を示す図。
【符号の説明】
【００３０】
１  リール本体
２ｃ，２ｄ  軸受支持部
１０  交換スプールユニット
１２  スプール軸
１３  スプール
１５ａ，１５ｂ  軸受
１６ａ，１６ｂ  環状支持体
５０  基本スプールユニット
５２  スプール軸
５３  スプール
５５ａ，５５ｂ  軸受
【図１】
2006034254.tif 000003
【図２】
2006034254.tif 000004
【図３】
2006034254.tif 000005
【図４】
2006034254.tif 000006
【図５】
2006034254.tif 000007